(57)【要約】【課題】通信子局が複数の通信親局と通信する場合、通信子局がそれぞれの通信親局から送信された信号に従って通信内容を適切に書き換えることができる通信方法を提供すること。【解決手段】通信子局である給湯器用リモコン２４の通信部２４ａ（発電装置用リモコン１９の通信部１９ａ）と複数の通信親局である第一制御装置１４の第一通信部１４ａ及び第二制御装置２２の第二通信部２２ａとの間で通信を行う通信方法であって、通信部２４ａは、第一通信部１４ａ及び第二通信部２２ａのそれぞれから送信された信号であるポーリング信号及びイベント信号を周期的に受信しており、受信したポーリング信号及ぶイベント信号の状態である信号レベル（Ｌｏｗ又はＨｉ）が前回受信したときと今回受信したときとで異なる場合、信号レベルが異なるポーリング信号又はイベント信号に従って通信内容を書き換える。【選択図】図３
2019146056.tif 000002
【特許請求の範囲】
【請求項１】
通信子局と複数の通信親局との間で通信を行う通信方法であって、
前記通信子局は、
前記複数の前記通信親局のそれぞれから送信された信号を周期的に受信しており、受信した前記信号の状態が前回受信したときと今回受信したときとで異なる場合、前記状態が異なる今回受信した前記信号に従って通信内容を書き換える、通信方法。
【請求項２】
前記通信子局は、
前記複数の前記通信親局のうちの一の前記通信親局から送信されている第一信号を周期的に受信しており、且つ、前記複数の前記通信親局のうちの前記一の前記通信親局以外の他の前記通信親局から送信されている第二信号を受信している場合、
前回受信した前記第一信号の状態に対して今回受信した前記第一信号の前記状態が同一であるときは、前記他の前記通信親局から受信した前記第二信号に従って前記通信内容を書き換え、
前回受信した前記第一信号の前記状態に対して今回受信した前記第一信号の前記状態が異なるときは、前記一の前記通信親局から受信した前記第一信号に従って前記通信内容を書き換える、請求項１に記載の通信方法。
【請求項３】
少なくとも前記通信子局が周期的に受信する前記第一信号は、ポーリング信号である、請求項２に記載の通信方法。
【請求項４】
前記一の前記通信親局から送信される前記第一信号は、ポーリング信号であり、
前記他の前記通信親局から送信される前記第二信号は、発生したイベントを表すイベント信号である、請求項２又は請求項３に記載の通信方法。
【請求項５】
発電装置が系統電源に連系され、前記発電装置の発電に伴って発生する排熱を回収するコジェネレーション装置と連携可能な他の装置とが互いに通信可能であるコジェネレーションシステムにおいて、
前記複数の前記通信親局は、
前記コジェネレーション装置を制御する第一制御装置及び前記他の装置を制御する第二制御装置のそれぞれに設けられ、
前記通信子局は、
前記第一制御装置及び前記第二制御装置と通信を行い、前記コジェネレーション装置及び前記他の装置を操作するためのリモコンに設けられる、請求項１乃至請求項４のうちの何れか一項に記載の通信方法。
【発明の詳細な説明】
【技術分野】
【０００１】
本発明は、通信親局と通信子局との間で通信する通信方法に関する。
【背景技術】
【０００２】
従来から、例えば、下記特許文献１に開示された無線通信方法が知られている。この従来の無線通信方法は、一つの親局と複数の子局とが通信する場合、親局から固定周期でポーリング信号を送信し、ポーリング先の子局の送信後から次にポーリング信号までの周期をアクセス期間とし、各子局はアクセス期間を利用してパケット又はポーリング要求を親局に送信する。これにより、送信待ち時間を短くすることができるようになっている。
【先行技術文献】
【特許文献】
【０００３】
【特許文献１】特開２００９−１００３８９号公報
【発明の概要】
【発明が解決しようとする課題】
【０００４】
ところで、複数の通信親局（通信親局）と通信子局（通信子局）との通信においては、一の通信親局がＨｉとＬｏｗの状態を有するポーリング信号を常にＨｉ又はＬｏｗとして送信する一方で、他の通信親局がＨｉとＬｏｗの状態を有するポーリング信号やイベント信号を通信子局に送信して通信子局に対する通信内容を変更しようとする場合がある。この場合、他の通信親局が例えばＬｏｗの信号を送信して通信子局に対する通信内容を変更しようとしても、一の通信親局が固定周期で例えばＨｉのポーリング信号を送信するため、通信子局においては他の通信親局から受信したＬｏｗの信号によって表される通信内容が一の通信親局から送信されたＨｉのポーリング信号によって書き換えられてしまい、通信子局は他の通信親局による通信内容の書き換えを受け付けることができない場合がある。
【０００５】
本発明は、上記課題を解決するためになされたものであり、通信子局が複数の通信親局と通信する場合、通信子局がそれぞれの通信親局から送信された信号に従って通信内容を適切に書き換えることができる通信方法を提供することを目的とする。
【課題を解決するための手段】
【０００６】
上記の課題を解決するため、請求項１に係る通信方法の発明は、通信子局と複数の通信親局との間で通信を行う通信方法であって、通信子局は、複数の通信親局のそれぞれから送信された信号を周期的に受信しており、受信した信号の状態が前回受信したときと今回受信したときとで異なる場合、状態が異なる今回受信した信号に従って通信内容を書き換える。
【発明の効果】
【０００７】
これによれば、通信子局は、周期的に受信する信号について、信号の状態が変化した場合においてのみ、今回受信した信号に従って通信内容を書き換えることができる。これにより、複数の通信親機が同時に通信子局と通信している場合であっても、通信子局においては、一の通信親局から先に受信した信号に従って書き換えた通信内容は、その後に他の通信親局から受信した信号の状態が変化しない限り後に受信した信号に従って書き換えられることを防止することができて、書き換えた通信内容を適切に維持することができる。従って、通信子局は、複数の通信親局との通信において、同種の状態に変化可能な信号を常に且つ同時に受信することができ、信号の取りこぼしが生じることを抑制することができる。
【図面の簡単な説明】
【０００８】
【図１】本発明によるコジェネレーションシステムを示す概要図である。
【図２】図１の第一通信部及び第二通信部と発電装置用リモコンの通信部及び給湯器用リモコンの通信部との通信を示す概略図である。
【図３】図１の第一通信部及び第二通信部と給湯器用リモコンの通信部との通信を示すタイムチャートである。
【図４】図１の給湯器用リモコンの通信部によって実行される通信プログラムのフローチャートである。
【発明を実施するための形態】
【０００９】
以下、本発明による通信方法をコジェネレーションシステム１に適用した実施形態を説明する。先ず、コジェネレーションシステム１の構成の概要から説明する。図１に示すように、コジェネレーションシステム１は、コジェネレーション装置１０及びコジェネレーション装置１０と連携可能な給湯システム２０を備えている。
【００１０】
コジェネレーション装置１０は、電力（具体的には交流電力）を発電するとともに発電に伴って発生する熱を湯として回収して貯湯するものである。このため、コジェネレーション装置１０は、発電機１１、熱交換器１２、電力変換装置１３、発電装置制御装置１４（以下、第一制御装置１４とも称呼する。）、貯湯槽１５及び発電装置用リモコン１９を備えている。ここで、発電機１１及び電力変換装置１３は、本発明の発電装置を構成する。発電機１１は、直流電力を発電する。発電機としては、燃料と酸化剤ガスとにより発電する燃料電池又は原動機により発電する発電機を用いることができる。
【００１１】
熱交換器１２は、一端が発電機１１の排熱が排出される発電機１１の排出口に接続された流路１１ｂの他端に接続されている。熱交換器１２は、熱交換器１２と貯湯槽１５とを接続する湯水循環回路１６上に配設されている。熱交換器１２は、流路１１ｂを介して供給される排熱と湯水循環回路１６を循環する湯水との間で熱交換を行うものである。
【００１２】
電力変換装置１３は、発電機１１から供給された直流電力（電流、電圧）を交流電力（電流、電圧）に変換するものである。又、電力変換装置１３は、変換した交流電力（電流、電圧）を出力する機能を備えている。電力変換装置１３は、系統連系出力経路１７ｂを介して系統電源１７ａと電気的に接続されている。電力変換装置１３から出力される交流電力及び系統電源１７ａからの交流電力は系統連系出力経路１７ｂに出力されるようになっている。又、電力変換装置１３は、系統連系出力経路１７ｂを介して供給される系統電源１７ａからの交流電力を直流電力に変換して出力する機能も備えている。系統連系出力経路１７ｂには、ブレーカ１７ｄが設けられている。ブレーカ１７ｄは、系統電源１７ａからの送電が行われている場合であって、何らかの原因により系統連系出力経路１７ｂに異常な電流（例えば、過電流）が流れたときに、自動で系統連系出力経路１７ｂを開路とするようになっている。これにより、コジェネレーション装置１０は、異常な電流による損傷等から回避される。
【００１３】
発電装置制御装置１４（第一制御装置１４）は、発電機１１の制御を少なくとも行うものである。具体的には、系統電源１７ａから電力供給があるときは、電力使用場所Ａ１に設置されている負荷装置１７ｃ（例えば、電灯、テレビ、洗濯機、エアコン、冷蔵庫等の電化製品）の消費電力となるように発電機１１の発電量の制御を行う。このとき、発電機１１の発電する電力より負荷装置１７ｃの消費電力が上回る場合は、その不足電力を系統電源１７ａから受電して補うようになっている。
【００１４】
又、第一制御装置１４は、発電装置用リモコン１９及び後述する給湯システム２０の給湯器用リモコン２４と無線通信をすることにより、発電装置用リモコン１９及び給湯器用リモコン２４と各種情報の送受信が可能になっている。このため、第一制御装置１４は、発電装置用リモコン１９に設けられた通信部１９ａ及び給湯器用リモコン２４に設けられた通信部２４ａとの間で、パケット通信方式に従って第一親局として通信する第一通信部１４ａを備えている。第一通信部１４ａは、図２に示すように、通信部１９ａ及び通信部２４ａと無線通信を可能とするために、無線信号を受信するアンテナ１４ａ１を備えている。
【００１５】
貯湯槽１５は、発電機１１の排熱を熱交換により回収した湯水を貯めるものである。貯湯槽１５には、貯湯槽１５内の湯水（貯湯水）を循環させるための湯水循環回路１６が接続されている。発電機１１の発電中にポンプ（図示省略）の駆動によって湯水循環回路１６を湯水が循環すると、湯水が流路１１ｂを介して排出された発電機１１の排熱を熱交換器１２を介して回収することで、湯水が加熱されるようになっている。尚、発電機１１の排熱とは、例えば、コジェネレーション装置１０の場合、燃料電池の排熱やエンジンの排熱などを言う。しかし、これに限定せず、コジェネレーション装置１０それ自体の熱等の回収可能な排熱なら何でも利用できる。又、本実施形態においては、貯湯槽１５をコジェネレーション装置１０の筐体の内部に設けるが、筐体の外にコジェネレーション装置１０の別のユニットとして設けるようにしても良い。
【００１６】
貯湯槽１５は、一つの柱状容器を備えており、その内部に温水が層状に、即ち、上部の温水が最も高温であり下部に行くに従って低温となり下部の温水が最も低温であるように貯留されるようになっている。貯湯槽１５に貯留されている高温の温水が貯湯槽１５の柱状容器の上部から導出され、その導出された分を補給するように水道水等の水（低温の水）が貯湯槽１５の柱状容器の下部から導入されるようになっている。尚、貯湯槽１５は、貯湯槽１５から導出された湯水に水道水が合流するように構成されるようにしても良い。これにより、貯湯槽１５からの湯水が降温される。
【００１７】
貯湯槽１５には、給湯システム２０の給湯器２１に一端が接続されている給湯管１８の他端が接続されている。貯湯槽１５内の湯水は、給湯管１８を介して給湯器２１に供給可能である。
【００１８】
発電装置用リモコン１９は、第一制御装置１４と互いに無線通信可能に接続されて、コジェネレーション装置１０の操作を行うリモコンである。発電装置用リモコン１９は、発電機１１の発電する電力、使用電力量、貯湯槽１５の残湯量の変化等のコジェネレーション装置１０に発生したイベントを第一制御装置１４から受信可能となっている。又、発電装置用リモコン１９は、後述する給湯システム２０の給湯器制御装置２２（以下、第二制御装置２２とも称呼する。）とも互いに無線通信可能に接続されている。発電装置用リモコン１９は、給湯温度の変化等の給湯器２１に発生したイベントを第二制御装置２２から受信可能となっている。このため、発電装置用リモコン１９は、通信親局である第一通信部１４ａ及び第二制御装置２２に設けられた通信親局である後述の第二通信部２２ａのそれぞれと、パケット通信する通信子局としての通信部１９ａ（マイクロコンピュータ）を備えている。
【００１９】
給湯システム２０は、他の装置としての給湯器２１、第二制御装置２２、給湯管２３及び給湯器用リモコン２４を備えている。
【００２０】
給湯器２１は、貯湯槽１５から導入された湯水を、熱源によって加熱して給湯するようになっている。熱源としては、燃料を燃焼させる燃焼器、熱交換器、電気ヒータ等である。本実施形態では、熱源は燃焼器であり、燃料は発電機１１に供給される天然ガス（改質用原料）と同じである。給湯器２１は、図示しない温度センサで検出した湯水の温度が設定された給湯温度となるように、燃焼器の燃焼を調整するように構成されている。又、図示を省略するが、給湯器２１には水道水が合流するようになっている。これにより、湯水を降温することも可能である。
【００２１】
第二制御装置２２は、上述したように給湯器２１から導出される給湯温度を調整する。尚、第二制御装置２２は、図示を省略する通信回路（例えば、周知のＰＬＣ回路等）を介して、第一制御装置１４と互いに通信可能に接続されている。又、第二制御装置２２は、発電装置用リモコン及び給湯器用リモコン２４と無線通信することにより、発電装置用リモコン１９及び給湯器用リモコン２４と各種情報の送受信が可能になっている。
【００２２】
このため、第二制御装置２２は、発電装置用リモコン１９に設けられた通信部１９ａ及び給湯器用リモコン２４に設けられた通信部２４ａとの間で、パケット通信方式に従って通信親局として通信する第二通信部２２ａを備えている。第二通信部２２ａは、図２に示すように、通信部１９ａ及び通信部２４ａと無線通信を可能とするために、無線信号を送受信するアンテナ２２ａ１を備えている。
【００２３】
給湯管２３には、給湯器２１から供給される湯水を、給湯として利用する湯水使用場所Ａ２（例えば、屋内）に設置されている複数の湯利用機器Ａ２ａが接続されている。この湯利用機器Ａ２ａとしては、浴槽、シャワ、キッチン（キッチンの蛇口）、洗面所（洗面所の蛇口）等がある。又、給湯管２３には、給湯器２１から供給される湯水を熱源として利用する湯水使用場所Ａ２に設置されている熱利用機器Ａ２ｂが接続されている。この熱利用機器Ａ２ｂとしては、浴室暖房、床暖房、浴槽の湯の追い炊き機構等がある。
【００２４】
給湯器用リモコン２４は、第二制御装置２２と互いに通信可能に接続されて、給湯器２１の操作を行うリモコン（第二リモコン）である。給湯器用リモコン２４は、給湯温度の変化等の給湯器２１に発生したイベントを第二制御装置２２から受信可能となっている。又、給湯器用リモコン２４は、第一制御装置１４とも互いに無線通信可能に接続されている。給湯器用リモコン２４は、例えば、貯湯槽１５の残湯量の変化等のコジェネレーション装置１０に発生したイベントを第一制御装置１４から受信可能となっている。このため、給湯器用リモコン２４は、通信親局である第一通信部１４ａ及び第二通信部２２ａのそれぞれと、パケット通信する通信子局としての通信部２４ａ（マイクロコンピュータ）を備えている。
【００２５】
ここで、第一制御装置１４及び第二制御装置２２と、発電装置用リモコン１９及び給湯器用リモコン２４と、の間の無線通信方法を説明する。尚、以下の説明においては、複数（二つ）の通信親局のうちの「一の通信親局」である第一制御装置１４の第一通信部１４ａ及び「一の通信親局以外の他の通信親局」である第二制御装置２２の第二通信部２２ａと、一つの通信子局である給湯器用リモコン２４の通信部２４ａと、がパケット通信により無線通信する場合を例示して説明する。
【００２６】
第一通信部１４ａ及び第二通信部２２ａは、それぞれ、周期的に通信部２４ａと無線通信する。この場合、第一通信部１４ａは、通信部２４ａにポーリング信号を送信してポーリング通信を繰り返し行う。尚、ポーリング通信は、ポーリング信号の信号レベルがＨｉにおいて通信部２４ａとの通信を許可し、信号レベルがＬｏｗにおいて通信部２４ａとの通信を禁止する。一方、第二通信部２２ａは、給湯器２１にイベント（例えば、給湯温度の変化等）が発生した場合、通信部２４ａに対してイベント信号を送信するイベント通信を行う。尚、イベント通信は、信号レベルがＨｉ又はＬｏｗのイベント信号を送信する。以下、この無線通信を図３のタイムチャートを用いて具体的に説明する。
【００２７】
図３に示すように、通信部２４ａは、ポーリング通信により、「一の通信親局」である第一通信部１４ａから、第一信号として、時刻ｔ１において信号レベル（状態）がＬｏｗのポーリング信号を受信し、時刻ｔ２において信号レベル（状態）がＬｏｗからＨｉに変化して時刻ｔ３、ｔ４、ｔ６において信号レベル（状態）がＨｉに維持されるポーリング信号を受信し、時刻ｔ７において信号レベル（状態）がＨｉからＬｏｗに変化するポーリング信号を受信する。又、通信部２４ａは、第一通信部１４ａからポーリング信号を受信しており、且つ、イベント通信により、「他の通信親局」である第二通信部２２ａから、第二信号として、時刻ｔ５において信号レベル（状態）がＨｉからＬｏｗに変化するイベント信号を受信する。
【００２８】
この場合、通信部２４ａは、時刻ｔ１にて第一通信部１４ａから信号レベル（状態）がＬｏｗのポーリング信号を受信し、時刻ｔ２にて第一通信部１４ａ及び第二通信部２２ａから信号レベル（状態）がＬｏｗからＨｉに変化したポーリング信号を受信する。即ち、第一通信部１４ａから送信されたポーリング信号の信号レベル（状態）は、前回である時刻ｔ１の状態に対して今回である時刻ｔ２の状態が変化している（異なる）。このため、通信部２４ａは、時刻ｔ２以降において、信号レベル（状態）がＬｏｗからＨｉに変化したポーリング信号に従って通信内容を書き換えて、第一通信部１４ａとの通信が可能となる。
【００２９】
この状態から、通信部２４ａは、時刻ｔ５にて第二通信部２２ａから信号レベル（状態）がＨｉからＬｏｗに変化したイベント信号を受信する。この場合、第一通信部１４ａから送信されているポーリング信号の信号レベル（状態）は、時刻ｔ４から時刻ｔ５を介して時刻ｔ６までＨｉに即ち同一に維持されている。即ち、第一通信部１４ａから送信されているポーリング信号の信号レベル（状態）は、時刻ｔ５において変化していない。従って、通信部２４ａは、受信したＬｏｗのイベント信号に従い、このイベント信号によって表されるイベントの内容（給湯温度の変化等）に従って通信内容を書き換える。これにより、給湯器用リモコン２４は、給湯器２１に発生したイベントである給湯温度の変化等を、例えば、図示省略の液晶表示部に表示する。
【００３０】
そして、時刻ｔ５から時刻ｔ７になると、第一通信部１４ａから送信されているポーリング信号の信号レベル（状態）がＨｉからＬｏｗに変化する。この場合、第二通信部２２ａから送信されているイベント信号の信号レベル（状態）は、時刻ｔ５以降時刻ｔ７に至るまでＬｏｗに維持されている。即ち、第二通信部２２ａから送信されているイベント信号の信号レベル（状態）は、時刻ｔ７において変化していない。従って、通信部２４ａは、受信したＬｏｗのポーリング信号に従い、このポーリング信号によって表されるポーリング通信の内容（第一通信部１４ａとの通信許可から通信禁止）に従って通信内容を書き換える。
【００３１】
このような通信を実現するため、通信子局である通信部２４ａ（マイクロコンピュータ）は、図４に示す通信プログラムを実行して、第一通信部１４ａ及び第二通信部２２ａと通信を行う。即ち、通信部２４ａは、ステップＳ１０にて通信プログラムの実行を開始し、続くステップＳ１１にて、第一通信部１４ａ及び第二通信部２２ａのそれぞれと通信、具体的には、無線通信を行い、第一通信部１４ａからポーリング信号を受信するとともに第二通信部２２ａからイベント信号を受信する。
【００３２】
そして、通信部２４ａは、ステップＳ１２において、前記ステップＳ１１にて第一通信部１４ａ及び第二通信部２２ａと無線通信を行っているときに、第一通信部１４ａから送信されて受信している第一信号であるポーリング信号の信号レベル（状態）が変化したか否か、具体的に、信号レベルがＬｏｗからＨｉ又はＨｉからＬｏｗに変化したか否かを判定する。即ち、通信部２４ａは、第一通信部１４ａから受信しているポーリング信号（第一信号）の信号レベルについて前回受信したポーリング信号の状態である信号レベルがＬｏｗ（Ｈｉ）であり、今回受信したポーリング信号の状態である信号レベルがＨｉ（Ｌｏｗ）であれば、ポーリング信号の状態が変化しているため、「Ｙｅｓ」と判定してステップＳ１３に進む。一方、通信部２４ａは、第一通信部１４ａから受信しているポーリング信号（第一信号）の信号レベルについて前回受信したポーリング信号の状態である信号レベルがＬｏｗ（Ｈｉ）であり、今回受信したポーリング信号の状態である信号レベルもＬｏｗ（Ｈｉ）であれば、ポーリング信号の状態が変化していないため、「Ｎｏ」と判定してステップＳ１４に進む。
【００３３】
ステップＳ１３においては、通信部２４ａは、ポーリング信号の信号レベル（状態）が変化しているため、受信したポーリング信号に従って通信内容を書き換える。そして、前記ステップＳ１３にて第一通信部１４ａから受信したポーリング信号に従って通信内容を書き換えると、通信部２４ａは再び前記ステップＳ１２に戻り、前記ステップＳ１２における判定処理を実行する。
【００３４】
ステップＳ１４においては、通信部２４ａは、ポーリング信号の信号レベル（状態）が変化していないため、受信したポーリング信号に従って通信内容を書き換えない。そして、通信部２４ａは、再び前記ステップＳ１２に戻り、前記ステップＳ１２における判定処理を実行する。
【００３５】
尚、上記実施形態においては、第一通信部１４ａ及び第二通信部２２ａと、給湯器用リモコン２４の通信部２４ａと、が無線通信により通信する場合を説明した。しかし、第一通信部１４ａ及び第二通信部２２ａと、発電装置用リモコン１９の通信部１９ａと、が無線通信する場合においても、上記実施形態と同様に無線通信することができる。
【００３６】
以上の説明からも理解できるように、上記実施形態の通信方法によれば、通信子局である給湯器用リモコン２４の通信部２４ａ（発電装置用リモコン１９の通信部１９ａ）と複数の通信親局である第一制御装置１４の第一通信部１４ａ及び第二制御装置２２の第二通信部２２ａとの間で通信を行う通信方法であって、通信部２４ａは、第一通信部１４ａ及び第二通信部２２ａのそれぞれから送信された信号であるポーリング信号及びイベント信号を周期的に受信しており、受信したポーリング信号及ぶイベント信号の状態である信号レベル（Ｌｏｗ又はＨｉ）が前回受信したときと今回受信したときとで異なる場合、信号レベルが異なる今回受信したポーリング信号又はイベント信号に従って通信内容を書き換える。
【００３７】
この場合、通信部２４ａは、第一通信部１４ａ及び第二通信部２２ａのうちの一の通信親局である第一通信部１４ａから送信されている第一信号としてのポーリング信号を周期的に受信しており、且つ、第一通信部１４ａ及び第二通信部２２ａのうち第一通信部１４ａ以外（一の通信親局以外）の他の通信親機である第二通信部２２ａから送信されている第二信号としてのイベント信号を受信している場合、前回受信したポーリング信号の信号レベル（Ｈｉ又はＬｏｗ）に対して今回受信したポーリング信号の信号レベル（Ｈｉ又はＬｏｗ）が同一であるときは、第二通信部２２ａから受信したイベント信号に従って通信内容を書き換え、前回受信したポーリング信号の信号レベル（Ｈｉ又はＬｏｗ）に対して今回受信したポーリング信号の信号レベル（Ｌｏｗ又はＨｉ）が異なるときは、第一通信部１４ａから受信したポーリング信号に従って通信内容を書き換える。
【００３８】
これらの場合、発電装置としての発電機１１が系統電源に連系され、発電機１１の発電に伴って発生する排熱を回収するコジェネレーション装置１０と連携可能な他の装置としての給湯器２１とが互いに通信可能であるコジェネレーションシステム１において、複数の通信親局である第一通信部１４ａ及び第二通信部２２ａは、コジェネレーション装置１０を制御する第一制御装置としての発電装置制御装置１４及び給湯器２１を制御する第二制御装置としての給湯器制御装置２２のそれぞれに設けられ、通信子局である通信部２４ａ及び通信部１９ａは、第一制御装置１４及び第二制御装置２２と通信を行い、コジェネレーション装置１０及び給湯器２１を操作するためのリモコンである給湯器用リモコン２４及び発電装置用リモコン１９に設けられる。
【００３９】
これらによれば、通信部２４ａは、Ｌｏｗ又はＨｉを有するポーリング信号及びイベント信号について、信号レベル（状態）が変化（ＬｏｗからＨｉ又はＨｉからＬｏｗに変化）した場合においてのみ、受信したポーリング信号又はイベント信号に従って通信内容を書き換えることができる。これにより、第一通信部１４ａ及び第二通信部２２ａが同時に通信部２４ａと通信している場合であっても、例えば、通信部２４ａがイベント信号に従って書き換えた通信内容が、その後に受信したポーリング信号の信号レベルが変化しない限りポーリング信号に従って書き換えられることを防止することができて、イベント信号に従って書き換えた通信内容を適切に維持することができる。従って、通信部２４ａは、第一通信部１４ａ及び第二通信部２２ａとの通信において、Ｌｏｗ又はＨｉを有する同種のポーリング信号及びイベント信号を常に且つ同時に受信することができ、ポーリング信号及びイベント信号の取りこぼしが生じることを抑制することができる。
【００４０】
本発明の実施にあたっては、上記実施形態に限定されるものではなく、本発明の目的を逸脱しない限りにおいて種々の変形例を採用することができる。
【００４１】
例えば、上記実施形態においては、第一通信部１４ａ及び第二通信部２２ａと、給湯器用リモコン２４の通信部２４ａ（発電装置用リモコン１９の通信部１９ａ）と、が無線通信するようにした。しかし、第一通信部１４ａ及び第二通信部２２ａと、通信部２４ａ（通信部１９ａ）と、が有線によって通信する（有線通信）ようにすることも可能である。この場合においても、上記実施形態と同様に、通信部２４ａ（通信部１９ａ）は、第一通信部１４ａ及び第二通信部２２ａから受信したポーリング信号又はイベント信号に従って、適切に通信内容を書き換えることができる。
【００４２】
又、上記実施形態においては、給湯器用リモコン２４の通信部２４ａに対して、第一通信部１４ａがポーリング信号を送信し、第二通信部２２ａがイベント信号を送信するようにした。これに代えて、給湯器用リモコン２４の通信部２４ａに対して、第一通信部１４ａがイベント信号を送信し、第二通信部２２ａがポーリング信号を送信するようにしても良い。又、給湯器用リモコン２４の通信部２４ａに対して、第一通信部１４ａ及び第二通信部２２ａがともにポーリング信号を送信するようにしても良い。この場合には、第一通信部１４ａ及び第二通信部２２ａがそれぞれ送信するポーリング信号の信号レベル（状態）が変化する場合のみ、通信部２４ａが受信したポーリング信号に従って通信内容を書き換えることができる。
【符号の説明】
【００４３】
１…コジェネレーションシステム、１０…コジェネレーション装置、１１…発電機、１１ｂ…流路、１２…熱交換器、１３…電力変換装置、１４…発電装置制御装置（第一制御装置）、１４ａ…第一通信部（通信親局）、１４ａ１…アンテナ、１５…貯湯槽、１６…湯水循環回路、１７ａ…系統電源、１７ｂ…系統連系出力経路、１７ｃ…負荷装置、１７ｄ…ブレーカ、１８…給湯管、１９…発電装置用リモコン、１９ａ…通信部（通信子局）、２０…給湯システム、２１…給湯器、２２…給湯器制御装置（第二制御装置）、２２ａ…第二通信部（通信親局）、２２ａ１…アンテナ、２３…給湯管、２４…給湯器用リモコン、２４ａ…通信部（通信子局）、Ａ１…電力使用場所、Ａ２…湯水使用場所、Ａ２ａ…湯利用機器、Ａ２ｂ…熱利用機器、ｔ１〜ｔ７…時刻
【図１】
2019146056.tif 000003
【図２】
2019146056.tif 000004
【図３】
2019146056.tif 000005
【図４】
2019146056.tif 000006